【事件の表示】
　特願２０００−１２０４２８「電源オン／オフ回路装置」拒絶査定不服審判事件〔平成１３年１１月２日出願公開、特開２００１−３０６１９２〕について、次のとおり審決する。
【結　論】
　本件審判の請求は、成り立たない。
【理　由】
１　手続の経緯・本願発明
　本願は、平成１２年４月２１日の出願であって、平成１５年６月１３日付けで拒絶査定がなされ、これに対し、同年７月２４日に拒絶査定に対する審判請求がなされるとともに、同年８月２５日付けで手続補正がなされたものである。
　 
２　平成１５年８月２５日付けの手続補正（以下、「本件補正」という。）についての補正却下の決定
［補正却下の決定の結論］平成１５年８月２５日付の手続補正を却下する。
［理由］本件補正により、特許請求の範囲の請求項１は、
「【請求項１】ＡＣ電源に接続される電源回路と、前記電源回路の出力を電源とし、該電源回路から電子機器各部への電源供給をオン／オフさせる電源オン／オフ回路と、前記電源回路の出力を電源とし、電源スイッチの操作入力に基づいて前記電源オン／オフ回路を制御するマイクロコンピュータとを備えた電源オン／オフ回路装置において、前記マイクロコンピュータへの電源供給時に該マイクロコンピュータのリセット端子にリセット信号を与えるリセット回路と、前記電源スイッチが操作される直前の電源オン／オフ情報を記憶させておく不揮発性メモリとを備え、前記電源スイッチが前記リセット端子に直接、接続されており、前記マイクロコンピュータは、前記電源スイッチが操作された時に、前記不揮発性メモリの電源オン／オフ情報を読み出して直前の電源オン／オフ状態を判断し、電源オフ状態であれば前記不揮発性メモリに電源オン情報を書き込むと共に前記電源オン／オフ回路に対して電源オン動作を行い、電源オン状態であれば前記不揮発性メモリに電源オフ情報を書き込むと共に前記電源オン／オフ回路に対して電源オフ動作を行い、さらに、前記マイクロコンピュータは、前記電源オン／オフ回路による電子機器各部への電源供給のオン／オフに関わらず、前記電源スイッチ以外の各種入力キーが配置されたキーマトリクスのキースキャン検知を行うことを特徴とする電源オン／オフ回路装置。」と補正された。 
　上記補正は、請求項１に記載した発明を特定するために必要な事項である「電源オン動作」について「前記電源オン／オフ回路に対して」との限定を付加するものであり、また、「電源オフ動作」について「前記電源オン／オフ回路に対して」との限定を付加するものであって、特許法第１７条の２第４項第２号の特許請求の範囲の減縮を目的とするものに該当する。  
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（１）引用刊行物記載の発明
　これに対して、原査定の拒絶の理由に引用された、本願の出願の日前である昭和６０年８月２１日に頒布された「特開昭６０−１６０３３３号公報」（以下、「引用例」という。）には、図面とともに、次の事項が記載されている。
　(1)　「マイクロコンピュータと該マイクロコンピュータによって制御される被制御回路とが別系統の電源によって作動するようにされ、被制御回路用電源を投入したり切ったりするスイッチングをマイクロコンピュータによる制御により行なうようにしてなる電子装置であって、操作されて上記被制御回路用電源の投入されているか否かの状態を切換える電源スイッチと、前記マイクロコンピュータ用の電源の電圧の立ち上りを検知してリセット信号を発生するリセット信号発生器とを有すると共に、前記マイクロコンピュータは前記電源スイッチの状態を検知する電源スイッチ状態検出手段と、前記リセット信号発生器からリセット信号が発生するかあるいは前記電源スイッチが操作されるかしたときにマイクロコンピュータ自身をリセット状態にしてプログラムを最初から実行させるようにするリセット手段と、停電時においても停電前における被制御回路用の電源のスイッチング状態を記憶し続けるスイッチング状態記憶用メモリと、被制御回路用電源を投入したり切ったりするスイッチング手段とを少なくとも備えており、前記リセット手段によってマイクロコンピュータがリセット状態になったときは、スイッチング状態記憶用メモリの記憶内容が停電前に被制御回路用電源が投入されていたという内容であれば被制御回路用の電源を電源スイッチの状態と逆にスイッチングし、又、スイッチング状態記憶用メモリの記憶内容が停電前に被制御回路用電源が投入されていないという内容であれば被制御回路用の電源を電源スイッチの状態と同じ状態にスイッチングするようにしてなることを特徴とする電子装置」（特許請求の範囲）
　
　(2)　「実施例
　以下に、本発明電子装置を添附図面に示した実施例に従って、詳細に説明する。
　第２図は本発明電子装置の基本的な構成を示すものである。
　同図において、Ａはマイクロコンピュータ、Ｂは該マイクロコンピュータの制御手段Ｃによって制御される被制御回路、ＤはマイクロコンピュータＡを動作させるマイクロコンピュータ用電源、Ｅは被制御回路Ｂを動作させる被制御回路用電源である。マイクロコンピュータ用電源ＤはＡＣコードのプラグがＡＣコンセントに差し込まれている時は常に商用電流を受けるようにされているのに対して、被制御回路用電源ＥはスイッチＦを介して商用電源電流を受けるようにされており、このスイッチＦはスイッチング回路Ｇによって制御される。そして、該スイッチング回路ＧはマイクロコンピュータＡ内のスイッチング手段Ｈによつて制御される。しかして、被制御回路用電源ＥはマイクロコンピュータＡによつてオン状態、即ち、電源電圧を発生する状態にされたり、オフ状態、即ち電源電圧を発生しない状態にされたりするのである。
　Ｉは被制御回路用電源Ｅのオンかオフかの状態を切換えるための電源スイッチ、Ｊはリセット信号発生器で、マイクロコンピュータ用電源Ｄから出力される電源電圧を受け、瞬間的であるか否かを問わず停電が生じた場合にその停電終了後の電源電圧の立ち上がりを検出し、その検出時にリセット信号を発生する。Ｋは時定数手段で、電源スイッチＩが操作されたとき一定のパルス幅のリセット信号をつくる役割を果すものである。（第３頁左下欄下から１０行〜第４頁左上欄第２行）
　
　(3)　「Ｎはスイッチング状態記憶用メモリで、停電時においても停電前における前記スイッチング手段Ｈの出力内容を記憶し続けるものである。
　そして、スイッチング手段Ｈは該スイッチング状態記憶用メモリＮの記憶内容と、電源スイッチ状態検出手段Ｌの検出内容とに基づいてスイッチング回路Ｇを介してスイッチＦをスイッチングする。
　具体的には、マイクロコンピュータＡがリセット状態になった後において、スイッチング状態記憶用メモリの記憶内容が被制御回路用電源は投入されていたという内容であれば、被制御回路用の電源Ｅを電源スイッチＩの状態と逆の状態にスイッチングする。即ち、電源スイッチＩがオン状態であれば被制御回路用電源Ｅをオフ状態に、電源スイッチＩがオフ状態であれば被制御回路用電源Ｅをオン状態にする。
　又、同じくマイクロコンピュータＡがリセット状態になつた後において、スイッチング状態記憶用メモリの記憶内容が被制御回路用電源Ｅは投入されていないという内容であれば、被制御回路用の電源を電源スイッチＩの状態と同じ状態にスイッチングする。即ち、電源スイッチＩがオン状態であれば被制御回路用電源Ｅをオン状態にし、電源スイッチＩがオフ状態であれば被制御回路用電源Ｅをオフ状態にする。
　第３図は第２図に基本的構成を示した電子装置の具体例を示すものである。同図において、１はテレビジョン受像機制御用のマイクロコンピュータで、受像回路２等を制御する。３はマイクロコンピュータ１内のCPU、４はROM、５はRAM、６はテレビジョン受像機の電源がオンであるかを記憶する不揮発性メモリ、７はテレビジョン受像機本体の例えば正面パネルに設けられた電源キーPKYからのスイッチング信号を受ける入力ポート、８はリモートコントロール信号を受ける入力ポート、９は上記スイッチング信号、リモートコントロール信号以外の各種信号を受ける入力ポート、１０はテレビジョン回路２内のPLL回路１１へ選局信号を送出する出力ポートであり、該出力ポート１０からの選局信号によりPLL回路１１を介して制御されるチューナ１２はその選局信号に対応した放送電波にチューニングした状態になり、その放送番組が再生回路１３によって再生される。」（第４頁左上欄第１２行〜同頁左下欄第１６行）
　
　(4)　「次に、受像回路用電源１６をオン、オフする動作を説明する。第４図はマイクロコンピュータ１が実行するプログラムのうちの受像回路用電源１６をオン、オフするプログラムのフロを示すフローチャートである。
(イ)　「スタート」
　マイクロコンピュータ１がリセットされるとその後プログラムが開始される。マイクロコンピュータ１がリセットされる場合として、マイクロコンピュータ用電源１５の出力である電源電圧の立ち上り（停電［瞬間的なものを含む］によるか電源コードのプラグをACコンセントに差し込んだことによるかを問わず。）によってリセットパルス発生器１９からリセット信号が出力された場合と、パワーキーPKYがプッシュされた場合とがある。
(ロ)　「リセット前において電源がオンされていたか否かを読み出す。」
　スタートされると、その次に不揮発性メモリ６からリセット前における受像回路用電源１６の状態がオンであるか、オフであるかを読み出す。即ち、不揮発性メモリ６は受像回路用電源１６がオンされているかオフされているかを記憶するものであり、停電が生じてもその記憶が消失しない。従って、停電があつた場合には停電前における受像回路用電源１６のオンか、オフかの状態が不揮発性メモリ６によって記憶されており、停電終了後において不揮発性メモリ６の記憶内容を読み出すことにより受像回路用電源１６がオンされてたか否かを判断することができる。このステップ(ロ)においてその記憶内容の読み出しを行なうのである。
(ハ)　「電源がオンされていたのか？」
　ステップ(ロ)の読み出しが終了すると、リセット前において受像回路用電源１６がオンされていたか否かを判定する。
(ニ)、(ニ)’「パワーキーは押されているか？」
　ステップ(ハ)の判定結果が「イエス」であるか、「ノウ」であるかを問わず、パワーキーPKYがプッシュされているかどうかを判定する。(ニ)はステップ(ハ)も判定結果が「イエス」の場合に行われるステップであり、(ニ)’はステップ(ハ)の判定結果が「ノウ」の場合に行われるステップである。
(ホ)　「電源をオンする。」
　ステップ(ニ)において「ノウ」という判定結果が得られた場合には出力ポート１４からスイッチング信号を出力してトランジスタＱを導通させる。すると、リレーRLが励磁され、受像回路用電源１６は商用交流電流の供給を行けてオン状態になる。従って、受像回路２が動作し受像状態になる。
(ヘ)　「電源をオフする。」
　ステップ(ニ)において「イエス」という判定結果が得られた場合は、出力ポート１４からスイッチング信号を出力しない。その結果、受像回路用電源１６は商用交流電流を受けず、オフ状態となり、受像回路２は非受像状態になる。
(ト)　「電源をオフする。」
　ステップ(ニ)’において「ノウ」という判定結果が得られた場合は、ステップ(ヘ)の「電源をオフする。」と同じ動作を行う。
(チ)　「電源をオンする。」
　ステップ(ニ)’において「イエス」という判定結果が得られた場合は、ステップ(ホ)の「電源をオンする。」と同じ動作を行う。
(リ)　「現在における電源のオンかオフかの状態を検出する。」
　前記ステップ(ホ)〜(チ)のうちいずれかのステップが終了すると、現在時点における受像回路用電源１６のオンか、オフかの状態を検出する。これは具体的には出力ポート１４からスイッチング信号が出力されているか否かを検出することによって行う。
(ヌ)　「現在における電源の状態がオンか？」
　ステップ(リ)が終了すると現在における受像回路用電源１６の状態がオンかどうかを判定する。
(ル)　「メモリにオン状態と記憶する。」
　ステップ(ヌ)において「イエス」という判定結果が得られた場合には不揮発性メモリ６に受像回路用電源１６がオン状態であることを示す信号を記憶する。
(ヲ)　「メモリにオフ状態と記憶する。」
　ステップ(ヌ)において「ノウ」という判定結果が得られた場合には不揮発性メモリ６に受像回路用電源１６がオフ状態であることを示す信号を記憶する。」（第５頁右上欄第２行〜第６頁右上欄第１０行）
　
　この記載事項によると、引用例には、「ＡＣコンセントに接続される被制御回路用電源と、前記被制御回路用電源の出力を電源とし、該被制御回路用電源から被制御回路への電源供給をオン／オフさせるスイッチング回路と、前記被制御回路用電源の出力を電源とし、電源スイッチの操作入力に基づいて前記スイッチング回路を制御するマイクロコンピュータとを備えた電子装置において、前記マイクロコンピュータへの電源供給時に該マイクロコンピュータのリセット端子にリセット信号を与えるリセット信号発生器と、前記電源スイッチが操作される直前の電源のスイッチング状態を記憶させておくスイッチング状態記憶用メモリとを備え、前記電源スイッチが前記リセット端子に接続されており、前記マイクロコンピュータは、前記電源スイッチが操作された時に、前記スイッチング状態記憶用メモリの電源のスイッチング状態を読み出して直前の電源のオンかオフかの状態を判断し、電源のオフ状態であれば前記スイッチング状態記憶用メモリに電源がオン状態であることを示す信号を記憶すると共に前記スイッチング回路に対して電源をオン状態にし、電源のオン状態であれば前記スイッチング状態記憶用メモリに電源がオフ状態であることを示す信号を記憶すると共に前記スイッチング回路に対して電源をオフ状態にする電子装置。」の発明（以下、「引用発明」という。）が記載されていると認められる。
　
（２）対比
　ここで、引用発明でいう「スイッチング状態記憶用メモリ」は、本願補正発明でいう「不揮発性メモリ」に対応していることは当業者において明らかである。
　そして、本願補正発明と引用発明を対比すると、引用発明における「ＡＣコンセント」「被制御回路用電源」「被制御回路」「スイッチング回路」「電子装置」「リセット信号発生器」「電源のスイッチング状態」「電源のオンかオフかの状態」「電源のオフ状態」「電源がオン状態であることを示す信号を記憶する」「電源をオン状態にし」「電源のオン状態」「電源がオフ状態であることを示す信号を記憶する」「電源をオフ状態にする」は、それぞれ本願補正発明における「ＡＣ電源」「電源回路」「電子機器各部」「電源オン／オフ回路」「電源オン／オフ回路装置」「リセット回路」「電源オン／オフ情報」「電源オン／オフ状態」「電源オフ状態」「電源オン情報を書き込む」「電源オン動作を行い」「電源オン状態」「電源オフ情報を書き込む」「電源オフ動作を行い」に相当するものと認める。
　
　したがって、両者は、以下のとおりの一致点及び相違点を有するものと認められる。
　（一致点）
「ＡＣ電源に接続される電源回路と、前記電源回路の出力を電源とし、該電源回路から電子機器各部への電源供給をオン／オフさせる電源オン／オフ回路と、前記電源回路の出力を電源とし、電源スイッチの操作入力に基づいて前記電源オン／オフ回路を制御するマイクロコンピュータとを備えた電源オン／オフ回路装置において、前記マイクロコンピュータへの電源供給時に該マイクロコンピュータのリセット端子にリセット信号を与えるリセット回路と、前記電源スイッチが操作される直前の電源オン／オフ情報を記憶させておくメモリとを備え、前記電源スイッチが前記リセット端子に接続されており、前記マイクロコンピュータは、前記電源スイッチが操作された時に、前記メモリの電源オン／オフ情報を読み出して直前の電源オン／オフ状態を判断し、電源オフ状態であれば前記メモリに電源オン情報を書き込むと共に前記電源オン／オフ回路に対して電源オン動作を行い、電源オン状態であれば前記メモリに電源オフ情報を書き込むと共に前記電源オン／オフ回路に対して電源オフ動作を行う電源オン／オフ回路装置。」
　
　（相違点）
　(1)　メモリが、本願補正発明では、不揮発性であるのに対して、引用発明では、不揮発性であるかが明らかではない点。
　(2)　本願補正発明では、「電源スイッチがリセット端子に直接、接続され」るのに対して、引用発明では、電源スイッチがリセット端子に時定数手段を介して接続される点。
　(3)　本願補正発明では、マイクロコンピュータは、電源オン／オフ回路による電子機器各部への電源供給のオン／オフに関わらず、電源スイッチ以外の各種入力キーが配置されたキーマトリクスのキースキャン検知を行うのに対して、引用発明では、各種入力キーが配置されたキーマトリクスを備えていない点。
　
（３）判断
　上記相違点について検討する。
　相違点(1)
　電源オン／オフ回路を制御するマイクロコンピュータを備えた電源オン／オフ回路装置において、所望の情報を記憶させておくメモリとして、不揮発性メモリを採用することは常套手段であることから、引用発明におけるメモリとして、本願出願前周知の不揮発性メモリを採用することは当業者が容易になし得ることと認める。
　
　相違点(2)
　引用発明における電源スイッチは時定数手段を介してマイクロコンピュータのリセット端子に接続されているが、前記時定数手段は、電源スイッチが操作されたことをリセット信号としてマイクロコンピュータに伝えるためのパルス整形手段にすぎないことから、引用発明において、前記電源スイッチからの接点信号を前記リセット端子に与えるに際して、前記時定数手段を介して前記リセット端子に前記接点信号を与えることにかえて、前記電源スイッチからの前記接点信号を前記リセット端子に直接与えるべく、前記電源スイッチを前記リセット端子に直接、接続することは、前記接点信号の入力先の装置の特性に応じて当業者が適宜なし得ることと認める。
　
　相違点(3)
　引用発明におけるマイクロコンピュータには、スイッチング信号、リモートコントロール信号以外の各種信号を受ける入力ポートが備えられており、また、電源オン／オフ回路を制御するマイクロコンピュータを備えた電源オン／オフ回路装置において、電源オン／オフ回路による電子機器各部への電源供給のオン／オフに関わらず、マイクロコンピュータにより、電源スイッチ以外の各種入力キーが配置されたキーマトリクスのキースキャン検知を行うことは常套手段であることから（この点、特開平４−３３３１１９号公報等を参照）、引用発明において、スイッチング信号、リモートコントロール信号以外の各種信号として各種のキー入力を受けるべく、マイクロコンピュータにより、電源オン／オフ回路による電子機器各部への電源供給のオン／オフに関わらず、電源スイッチ以外の各種入力キーが配置されたキーマトリクスを備え、前記キーマトリクスのキースキャン検知を行うことは当業者が容易になし得ることと認める。
　
　また、本願補正発明の効果についてみても、上記構成の採用に伴って当然に予測される程度のものにすぎず、格別顕著なものがあるとは認められない。
　したがって、本願補正発明は、引用発明に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項において準用する同法第１２６条第４項の規定に違反するので、特許法第１５９条第１項の規定において読み替えて準用する同法第５３条第１項の規定により却下すべきものである。
　
３　本願発明  
　平成１５年８月２５日付けの手続補正は上記のとおり却下されたので、本願の請求項１に係る発明は、同年２月３日付けの手続補正書によって補正された明細書及び図面の記載からみて、上記請求項１に記載されたものと認められるところ、請求項１に係る発明（以下、「本願発明」という。）は次のとおりのものである。
「【請求項１】ＡＣ電源に接続される電源回路と、前記電源回路の出力を電源とし、該電源回路から電子機器各部への電源供給をオン／オフさせる電源オン／オフ回路と、前記電源回路の出力を電源とし、電源スイッチの操作入力に基づいて前記電源オン／オフ回路を制御するマイクロコンピュータとを備えた電源オン／オフ回路装置において、前記マイクロコンピュータへの電源供給時に該マイクロコンピュータのリセット端子にリセット信号を与えるリセット回路と、前記電源スイッチが操作される直前の電源オン／オフ情報を記憶させておく不揮発性メモリとを備え、前記電源スイッチが前記リセット端子に直接、接続されており、前記マイクロコンピュータは、前記電源スイッチが操作された時に、前記不揮発性メモリの電源オン／オフ情報を読み出して直前の電源オン／オフ状態を判断し、電源オフ状態であれば前記不揮発性メモリに電源オン情報を書き込むと共に電源オン動作を行い、電源オン状態であれば前記不揮発性メモリに電源オフ情報を書き込むと共に電源オフ動作を行い、さらに、前記マイクロコンピュータは、前記電源オン／オフ回路による電子機器各部への電源供給のオン／オフに関わらず、前記電源スイッチ以外の各種入力キーが配置されたキーマトリクスのキースキャン検知を行うことを特徴とする電源オン／オフ回路装置。」
　
（１）引用例
　原査定の拒絶の理由に引用された引用例、及びその記載事項は、前記「２　（１）」に記載したとおりである。
　
（２）対比・判断
　本願発明は、前記２で検討した本願補正発明から、「電源オン動作」の限定事項である「前記電源オン／オフ回路に対して」との構成、及び、「電源オフ動作」の限定事項である「前記電源オン／オフ回路に対して」との構成を省いたものである。
　そうすると、本願発明の構成要件をすべて含み、さらに他の構成要件を付加したものに相当する本願補正発明が、前記「２　（３）」に記載したとおり、引用例に記載された発明に基づいて、当業者が容易に発明をすることができたものであるから、本願発明も同様の理由により、引用例に記載された発明に基づいて、当業者が容易に発明をすることができたものである。
　
（３）むすび
　以上のとおり、本願発明は、引用例に記載された発明に基づいて当業者が容易に発明をすることができたものであるから、特許法第２９条第２項の規定により特許を受けることができない。
　よって、結論のとおり審決する。